【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
・第1の時間窓内で、第1の時間ロック（time-locked）構成要素および第1の自発的構成要素のうちの少なくとも1つを有する較正セッションに応答したユーザの第1の神経信号を検出する工程であって、前記第1の時間ロック構成要素が、前記較正セッションの第1の刺激の第1のパーセンテージに対する予期しない修正と関連付けられる第1のランダム化因子を含み、前記第1の刺激が前記ユーザにより事前に選択されたものではない、工程;
・前記第1の神経信号中に捕捉された、前記第1の刺激に対する前記予期しない修正への前記ユーザの応答に基づいてユーザ固有の較正モデルを生成する工程;
・第2の時間窓内の、第2の時間ロック構成要素および第2の自発的構成要素のうちの少なくとも1つを有する検証セッションを受けるよう前記ユーザに促す工程であって、前記第2の時間ロック構成要素が前記検証セッションの第2の刺激の第2のパーセンテージを占める第2のランダム化因子を含み、前記第2の刺激が前記ユーザにより事前に選択されたものではない、工程;
・前記検証セッションの送達と同時に第2の神経信号を検出する工程;
・前記第2の神経信号から前記ユーザ固有の較正モデルの出力を生成する工程;
・前記第2の神経信号の処理された出力と前記ユーザ固有の較正モデルの出力との比較操作に基づいて、前記ユーザの認証ステータスを決定する工程;ならびに
・前記認証ステータスに基づいて、認証された動作を行う工程
を含む、ブレイン・コンピュータ・インターフェースを提供するための方法。
【請求項２】
前記第1の時間ロック構成要素が第1の音刺激を含み、前記第2の時間ロック構成要素が第2の音刺激を含み、前記第1および第2の音刺激が実質的に同一である、請求項1記載の方法。
【請求項３】
前記第1の時間窓内で補助生体計測信号を検出する工程、および前記第1の神経信号と前記補助生体計測信号とに基づいて前記ユーザ固有の較正モデルを生成する工程をさらに含む、請求項1記載の方法。
【請求項４】
前記第1の自発的構成要素が、前記ユーザに想像された刺激を知覚するよう促すことを含み、前記第2の自発的構成要素が、前記ユーザに前記想像された刺激を想像するよう促すことを含み、前記想像された刺激が、聴覚刺激、触覚刺激、視覚刺激、嗅覚刺激、および味覚刺激のうちの少なくとも1つを含む、請求項1記載の方法。
【請求項５】
前記ユーザの前記認証ステータスに基づいてデータベースからユーザ選好を検索する工程をさらに含み、前記認証された動作を行う工程が、前記ユーザのための環境プロファイルをロードすることを含み、前記環境プロファイルが、前記検索したユーザ選好に従って前記ユーザと関連付けられた物理環境の環境パラメータを含む、請求項1記載の方法。
【請求項６】
前記認証された動作を行う工程が、前記ユーザがコンピューティングシステムにアクセスすることを認可する工程を含む、請求項1記載の方法。
【請求項７】
前記認証された動作を行う工程が、前記ユーザがブレイン・コンピュータ・インターフェースデバイスとの通信においてユーザ固有の動作を行うことによって相互作用する物理的対象と関連付けられたデジタルコンテンツを検索する工程を含む、請求項1記載の方法。
【請求項８】
前記認証された動作を行う工程が、前記ユーザとデジタル入力装置との間の相互作用を特徴付ける前記ユーザの神経学的信号のモデルを検索する工程を含む、請求項1記載の方法。
【請求項９】
・第1の時間窓内で、時間ロック構成要素を有する較正セッションに応答したユーザの第1の神経信号を検出する工程であって、前記第1の時間ロック構成要素が、前記較正セッションの第1の刺激の第1のパーセンテージに対する予期しない修正と関連付けられる第1のランダム化因子を含み、前記第1の刺激が前記ユーザにより事前に選択されたものではない、工程;
・前記第1の神経信号中に捕捉された、前記第1の刺激に対する前記予期しない修正への前記ユーザの応答に基づいてユーザ固有の較正モデルを生成する工程;
・第2の時間窓内の検証セッションを受けるよう前記ユーザに促す工程;
・前記検証セッションの送達と同時に第2の神経信号を検出する工程;
・前記第2の神経信号の処理された出力と前記ユーザ固有の較正モデルの処理された出力との比較操作に基づいて、前記ユーザの認証ステータスを決定する工程;ならびに
・前記認証ステータスに基づいて、認証された動作を行う工程
を含む、ブレイン・コンピュータ・インターフェースを提供するための方法。
【請求項１０】
前記第1の神経信号を検出する工程が、前記ユーザに近接したブレイン・コンピュータ・インターフェースデバイスの脳活動センサから信号を取得する工程を含む、請求項9記載の方法。
【請求項１１】
前記較正セッションの前記時間ロック構成要素が、前記第1の時間窓内の一連の時点で前記ユーザに提供される刺激を含み、前記第1の神経信号を検出する工程が前記一連の時点と時間的に同期される、請求項9記載の方法。
【請求項１２】
前記刺激が、音刺激、視覚刺激、嗅覚刺激、および触覚刺激のうちの少なくとも1つを含む、請求項11記載の方法。
【請求項１３】
前記第1のランダム化因子が、前記刺激の1％〜80％の所定の割合を占める、請求項11記載の方法。
【請求項１４】
前記ユーザに刺激を想像するよう促す工程をさらに含み、前記セッションの前記自発的構成要素が前記ユーザによる前記刺激の想像を含む、請求項9記載の方法。
【請求項１５】
前記検証セッションを受けるよう前記ユーザに促す工程が、前記ユーザに前記刺激を想像するよう促す工程を含み、前記比較操作が、前記第1の神経信号に基づいて生成された前記ユーザ固有の較正モデルの第1の出力を、前記第2の神経信号に基づいて生成された前記ユーザ固有の較正モデルの第2の出力と比較することを含む、請求項14記載の方法。
【請求項１６】
前記第1の時間窓内で補助生体計測信号を検出する工程、および前記第1の神経信号と前記補助生体計測信号とに基づいて前記ユーザ固有の較正モデルを生成する工程をさらに含む、請求項9記載の方法。
【請求項１７】
前記認証された動作を行う工程が、前記ユーザと関連付けられたコンピューティングデバイスのディスプレイにレンダリングされた入力領域に1組の文字を読み込む工程を含む、請求項9記載の方法。
【請求項１８】
前記ユーザの前記認証ステータスを決定する工程が、前記ユーザの警戒レベル、前記ユーザの飲酒状態、前記ユーザの気分、および前記ユーザの不快レベルのうちの少なくとも1つを含む前記ユーザの状態を決定する工程を含み、前記認証された動作を行う工程が、前記ユーザの前記状態に基づいて、前記ユーザと関連付けられた車両のステアリングコラムのロック解除を可能にする工程を含む、請求項9記載の方法。
【請求項１９】
前記ユーザの前記認証ステータスに基づいてデータベースからユーザ選好を検索する工程をさらに含み、前記認証された動作を行う工程が、前記検索したユーザ選好に従って、前記ユーザと関連付けられた物理環境および仮想環境のうちの少なくとも1つの環境パラメータを調整する工程を含む、請求項9記載の方法。
【請求項２０】
前記認証ステータスが前記ユーザの認知状態を含み、前記認証された動作を行う工程が、前記ユーザと関連付けられた実体に前記ユーザの前記認知状態を警告する工程を含む、請求項9記載の方法。
【請求項２１】
前記第1のパーセンテージおよび前記第2のパーセンテージのうちの少なくとも1つが、1％〜80％の範囲のパーセンテージを含む、請求項1記載の方法。
【手続補正２】
【補正対象書類名】明細書
【補正対象項目名】０００４
【補正方法】変更
【補正の内容】
【０００４】
よって、ブレイン・コンピュータ・インターフェースを提供するための新規の有用なシステムおよび方法を生み出す必要がある。本発明は、そのような新規の有用なシステムおよび方法をもたらす。
[本発明1001]
・第1の時間窓内で、第1の時間ロック（time-locked）構成要素および第1の自発的構成要素のうちの少なくとも1つを有する較正セッションに応答したユーザの第1の神経信号を検出する工程であって、前記第1の時間ロック構成要素が第1のランダム化因子を含む、工程;
・前記第1の神経信号に基づいてユーザ固有の較正モデルを生成する工程;
・第2の時間窓内の、第2の時間ロック構成要素および第2の自発的構成要素のうちの少なくとも1つを有する検証セッションを受けるよう前記ユーザに促す工程であって、前記第2の時間ロック構成要素が第2のランダム化因子を含む、工程;
・前記検証セッションの送達と同時に第2の神経信号を検出する工程;
・前記第2の神経信号から前記ユーザ固有の較正モデルの出力を生成する工程;
・前記第2の神経信号の処理された出力と前記ユーザ固有の較正モデルの出力との比較操作に基づいて、前記ユーザの認証ステータスを決定する工程;ならびに
・前記認証ステータスに基づいて、認証された動作を行う工程
を含む、ブレイン・コンピュータ・インターフェースを提供するための方法。
[本発明1002]
前記第1の時間ロック構成要素が第1の音刺激を含み、前記第2の時間ロック構成要素が第2の音刺激を含み、前記第1および第2の音刺激が実質的に同一である、本発明1001の方法。
[本発明1003]
前記第1の時間窓内で補助生体計測信号を検出する工程、および前記第1の神経信号と前記補助生体計測信号とに基づいて前記ユーザ固有の較正モデルを生成する工程をさらに含む、本発明1001の方法。
[本発明1004]
前記第1の自発的構成要素が、前記ユーザに刺激を想像するよう促すことを含み、前記第2の自発的構成要素が、前記ユーザに前記刺激を想像するよう促すことを含む、本発明1001の方法。
[本発明1005]
前記ユーザの前記認証ステータスに基づいてデータベースからユーザ選好を検索する工程をさらに含み、前記認証された動作を行う工程が、前記検索したユーザ選好に従って、前記ユーザと関連付けられた物理環境の環境パラメータを調整する工程を含む、本発明1001の方法。
[本発明1006]
前記認証された動作を行う工程が、前記ユーザがコンピューティングシステムにアクセスすることを認可する工程を含む、本発明1001の方法。
[本発明1007]
前記認証された動作を行う工程が、前記ユーザがブレイン・コンピュータ・インターフェースデバイスとの通信においてユーザ固有の動作を行うことによって相互作用する物理的対象と関連付けられたデジタルコンテンツを検索する工程を含む、本発明1001の方法。
[本発明1008]
前記認証された動作を行う工程が、前記ユーザとデジタル入力装置との間の相互作用を特徴付ける前記ユーザの神経学的信号のモデルを検索する工程を含む、本発明1009の方法。
[本発明1009]
・第1の時間窓内で、時間ロック構成要素および自発的構成要素のうちの少なくとも1つを有する較正セッションに応答したユーザの第1の神経信号を検出する工程;
・前記第1の神経信号に基づいてユーザ固有の較正モデルを生成する工程;
・第2の時間窓内の検証セッションを受けるよう前記ユーザに促す工程;
・前記検証セッションの送達と同時に第2の神経信号を検出する工程;
・前記第2の神経信号の処理された出力と前記ユーザ固有の較正モデルの処理された出力との比較操作に基づいて、前記ユーザの認証ステータスを決定する工程;ならびに
・前記認証ステータスに基づいて、認証された動作を行う工程
を含む、ブレイン・コンピュータ・インターフェースを提供するための方法。
[本発明1010]
前記第1の神経信号を検出する工程が、前記ユーザに近接したブレイン・コンピュータ・インターフェースデバイスの脳活動センサから信号を取得する工程を含む、本発明1009の方法。
[本発明1011]
前記較正セッションの前記時間ロック構成要素が、前記第1の時間窓内の一連の時点で前記ユーザに提供される刺激を含み、前記第1の神経信号を検出する工程が前記一連の時点と時間的に同期される、本発明1009の方法。
[本発明1012]
前記刺激が、音刺激、視覚刺激、嗅覚刺激、および触覚刺激のうちの少なくとも1つを含む、本発明1011の方法。
[本発明1013]
前記時間ロック構成要素が、前記刺激の所定の割合を占めるランダム化因子を含む、本発明1011の方法。
[本発明1014]
前記ユーザに刺激を想像するよう促す工程をさらに含み、前記セッションの前記自発的構成要素が前記ユーザによる前記刺激の想像を含む、本発明1009の方法。
[本発明1015]
前記検証セッションを受けるよう前記ユーザに促す工程が、前記ユーザに前記刺激を想像するよう促す工程を含み、前記比較操作が、前記第1の神経信号に基づいて生成された前記ユーザ固有の較正モデルの第1の出力を、前記第2の神経信号に基づいて生成された前記ユーザ固有の較正モデルの第2の出力と比較することを含む、本発明1014の方法。
[本発明1016]
前記第1の時間窓内で補助生体計測信号を検出する工程、および前記第1の神経信号と前記補助生体計測信号とに基づいて前記ユーザ固有の較正モデルを生成する工程をさらに含む、本発明1009の方法。
[本発明1017]
前記認証された動作を行う工程が、前記ユーザと関連付けられたコンピューティングデバイスのディスプレイにレンダリングされた入力領域に1組の文字を読み込む工程を含む、本発明1009の方法。
[本発明1018]
前記ユーザの前記認証ステータスを決定する工程が、前記ユーザの警戒レベル、前記ユーザの飲酒状態、前記ユーザの気分、および前記ユーザの不快レベルのうちの少なくとも1つを含む前記ユーザの状態を決定する工程を含み、前記認証された動作を行う工程が、前記ユーザの前記状態に基づいて、前記ユーザと関連付けられた車両のステアリングコラムのロック解除を可能にする工程を含む、本発明1009の方法。
[本発明1019]
前記ユーザの前記認証ステータスに基づいてデータベースからユーザ選好を検索する工程をさらに含み、前記認証された動作を行う工程が、前記検索したユーザ選好に従って、前記ユーザと関連付けられた物理環境および仮想環境のうちの少なくとも1つの環境パラメータを調整する工程を含む、本発明1009の方法。
[本発明1020]
前記認証ステータスが前記ユーザの認知状態を含み、前記認証された動作を行う工程が、前記ユーザと関連付けられた実体に前記ユーザの前記認知状態を警告する工程を含む、本発明1009の方法。